(57)【要約】【課題】先端工具の固定部と可動部との間に把持できなかった物体を把持する機能を持たせることを可能にした間接活線工具用アダプタを提供すること。【解決手段】ストレーリンクトング１００の先端工具１１０に取り付けられる間接活線工具用アダプタ１であって、先端工具１１０の固定部１１２の先端部１２０に固定される固定側アダプタ１０と、先端工具１１０の可動部１１４に固定される可動側アダプタ３０と、を有し、固定側アダプタ１０は、先端部１２０に固定される固定側アダプタ本体部１２から延びる固定側アダプタヘッド部１４を備え、可動側アダプタ３０は、可動部１１４に固定される可動側アダプタ固定部３２から延びる可動側アダプタジョー部３４を備え、固定側アダプタヘッド部１４の先端は、先端部１２０の先端よりも上側に、可動側アダプタジョー部３４の先端は、可動部１１４の先端と同じ又はそれよりも上側に配置される。【選択図】図１
2015006038.tif 000002
【特許請求の範囲】
【請求項１】
先端部が鉤状に形成され、基端部が絶縁操作棒の先端に取り付けられる固定部と、前記先端部に対向しかつ前記絶縁操作棒の軸方向に沿って移動可能に設けられる可動部と、前記絶縁操作棒の回転させることによって前記可動部を前記絶縁操作棒の軸方向に移動させる移動機構とを備え、前記固定部の先端と前記可動部の先端との隙間から前記固定部の内部に挿入された電線を、前記固定部と前記可動部との間に把持させる間接活線工具に取り付けられる間接活線工具用アダプタであって、
前記固定部の先端部に固定される固定側アダプタと、
前記可動部に固定される可動側アダプタと、を有し、
前記固定側アダプタは、
前記先端部に固定される固定側アダプタ本体部と、
前記固定側アダプタ本体部から延びる固定側アダプタヘッド部と、を備え、
前記可動側アダプタは、
前記可動部に固定される可動側アダプタ固定部と、
前記可動側アダプタ固定部から延びる可動側アダプタジョー部と、を備え、
前記固定側アダプタヘッド部の先端は、前記固定部の先端よりも上側に配置され、
前記可動側アダプタジョー部の先端は、前記可動部の先端と同じ又はそれよりも上側に配置されることを特徴とする間接活線工具用アダプタ。
【請求項２】
前記固定側アダプタ本体部は、前記固定部の先端部を挟み込む一対の把持片を有し、
前記固定側アダプタは、前記一対の把持片の端部同士を連結するフックを更に備えることを特徴とする請求項１記載の間接活線工具用アダプタ。
【請求項３】
前記可動側アダプタ固定部は、前記可動側アダプタジョー部の後端部に設けられ、前記可動部を挟み込む一対の把持片を有し、
当該一対の把持片には、それぞれ互いに対向する貫通孔が形成され、
前記可動側アダプタは、前記一対の貫通孔に差し込まれ、前記可動部側に突出するピンを更に備えることを特徴とする請求項１又は２記載の間接活線工具用アダプタ。
【発明の詳細な説明】
【技術分野】
【０００１】
本発明は、電線の把持に用いる間接活線用の先端工具に取り付けて、先端工具に追加機能を持たせる間接活線工具用アダプタに関する。
【背景技術】
【０００２】
従来、高圧配電線の活線作業において、間接活線作業の先端工具を取り付けた絶縁棒が使用される。特に、電線、防具及び各種カバー等を把持する際には、絶縁ヤットコ、クイック及びトング等の使用機会が多い。その中でも電線や直線スリーブなどを確実に保持したい場合にはトングが使用される。
【０００３】
また、トングにアダプタを取り付けて追加機能を持たせる技術が特許文献１で提案されている。特許文献１によれば、対向する一対のガイド部材によって構成され、一方のガイド部材は、トングの固定あごに取り付けられ、他方のガイド部材は、トングの可動あごに取り付けられる。そして、トングの固定あごと可動あごとによって電線接続部材を挟持させることによって、電線接続部材の側方で一対のガイド部材が組み合わさり、電線接続部材が有する筒状部の側方にテーパ面が形成される。これにより、筒状部に、ガイド部材のテーパ面を介して電線を容易に挿入することを可能にした電線挿入作業用具について開示されている。
【先行技術文献】
【特許文献】
【０００４】
【特許文献１】特開２００９−６４８５６号公報
【発明の概要】
【発明が解決しようとする課題】
【０００５】
ところで、トングの規格によれば、直径３２ｍｍまでのものしか保持できない。また、トングの隙間は最大３５ｍｍしかないため、それ以上のものは把持できない。このため、確実にものを保持できる工具であるにもかかわらず、使用できる物体の範囲が限定される。
【０００６】
本発明は、このような問題点を解決し、トングに隙間以上の太さの物体を把持させる機能を持たせることを可能にした間接活線工具用アダプタを提供することを目的とする。
【課題を解決するための手段】
【０００７】
前記目的を達成するため、本発明は、次に記載する構成を備えている。
【０００８】
（１）  先端部が鉤状に形成され、基端部が絶縁操作棒の先端に取り付けられる固定部と、前記先端部に対向しかつ前記絶縁操作棒の軸方向に沿って移動可能に設けられる可動部と、前記絶縁操作棒の回転させることによって前記可動部を前記絶縁操作棒の軸方向に移動させる移動機構とを備え、前記固定部の先端と前記可動部の先端との隙間から前記固定部の内部に挿入された電線を、前記固定部と前記可動部との間に把持させる間接活線工具に取り付けられる間接活線工具用アダプタであって、前記固定部の先端部に固定される固定側アダプタと、前記可動部に固定される可動側アダプタと、を有し、前記固定側アダプタは、前記先端部に固定される固定側アダプタ本体部と、前記固定側アダプタ本体部から延びる固定側アダプタヘッド部と、を備え、前記可動側アダプタは、前記可動部に固定される可動側アダプタ固定部と、前記可動側アダプタ固定部から延びる可動側アダプタジョー部と、を備え、前記固定側アダプタヘッド部の先端は、前記固定部の先端よりも上側に配置され、前記可動側アダプタジョー部の先端は、前記可動部の先端と同じ又はそれよりも上側に配置されることを特徴とする間接活線工具用アダプタ。
【０００９】
（１）によれば、間接活線工具の固定部に固定側アダプタを、可動部に可動側アダプタを取り付けることにより、固定側アダプタヘッド部と可動側アダプタジョー部との間に物体を把持させることが可能になる。その際、固定側アダプタヘッド部と可動側アダプタジョー部との最大の隙間を、間接活線工具における固定部と可動部との最大の隙間より大きくすることができる。このため、間接活線工具用アダプタを取り付けることによって、例えば、耐張碍子のような従来の間接活線工具では把持できない物体を、把持することが可能になる。このように、先端工具では把持できない物体を把持させる機能を持たせることを可能にした間接活線工具用アダプタを提供することが可能になる。
【００１０】
（２）  （１）において、前記固定側アダプタ本体部は、前記固定部の先端部を挟み込む一対の把持片を有し、前記固定側アダプタは、前記一対の把持片の端部同士を連結するフックを更に備えることを特徴とする間接活線工具用アダプタ。
【００１１】
（２）によれば、略コ字状に形成された固定側アダプタ本体部が、間接活線工具用アダプタを介して物体を把持する際に開いてしまうことが防止できる。これにより、間接活線工具の固定部に固定側アダプタを取り付けた状態を確実に維持することが可能になる。
【００１２】
（３）  （１）、（２）において、前記可動側アダプタ固定部は、前記可動側アダプタジョー部の後端部に設けられ、前記可動部を挟み込む一対の把持片を有し、当該一対の把持片には、それぞれ互いに対向する貫通孔が形成され、前記可動側アダプタは、前記一対の貫通孔に差し込まれ、前記可動部側に突出するピンを更に備えることを特徴とする間接活線工具用アダプタ。
【００１３】
（３）によれば、間接活線工具用アダプタを介して物体を把持する際に可動側アダプタジョー部に下方の力が加わった場合に、可動側アダプタジョー部が一対の把持片を軸にして回動し、一対の把持片の後端部が上方に移動しようとするが、その時、ピンが可動部に当接するため、可動側アダプタジョー部の回動が規制される。これにより、可動側アダプタジョーの移動を防止することが可能になり、間接活線工具の可動部に可動側アダプタを取り付けた状態を確実に維持することが可能になる。
【発明の効果】
【００１４】
本発明によれば、間接活線工具に対し、間接活線工具の固定部と可動部との間に把持できなかった物体を把持する機能を持たせることを可能にした間接活線工具用アダプタを提供することが可能になる。
【図面の簡単な説明】
【００１５】
【図１】本発明の一実施形態における間接活線工具用アダプタ１をストレーリンクトング１００に取り付けた状態を示す側面図である。
【図２】本発明の一実施形態における間接活線工具用アダプタ１の外観を示す斜視図である。
【図３】図２に示す可動側アダプタ固定部３２を下方から視認した場合の平面図である。
【図４】ストレーリンクトング１００の外観を示す側面図である。
【図５】ストレーリンクトング１００の先端部を示す斜視図である。
【図６】ストレーリンクトング１００の先端部を示す側面図である。
【発明を実施するための形態】
【００１６】
以下、本発明の実施形態について、図面を参照しながら詳細に説明する。
［ストレーリンクトングの構成］
まず、本発明の一実施形態における間接活線工具用アダプタ１を説明するのに先立ち、間接活線工具用アダプタ１が装着されるストレーリンクトング１００について説明する。
【００１７】
図４はストレーリンクトング１００の外観を示す側面図であり、図５はストレーリンクトング１００の先端部を示す斜視図であり、図６はストレーリンクトング１００の先端部を示す側面図である。ストレーリンクトング１００は、図４に示すように、先端側に設けられる間接活線工具に相当する先端工具１１０と、絶縁性を有する長尺の絶縁操作棒１５０とを備えている。
【００１８】
先端工具１１０は、固定部１１２と、絶縁操作棒１５０の軸方向に進退可能に移動する可動部１１４とを備えている。
【００１９】
固定部１１２は、図５に示すように、本体１１６と、回転体１１７と、つまみ部１１８と、によって構成されている。
【００２０】
本体１１６は、鉤爪形状の先端部１２０と、先端部１２０の基端側から延在する中央部１２３と、中央部１２３の端部から、先端部１２０が延びる方向と同じ方向に延びる基端部１２４とからなる略コ字状の部材である。基端部１２４の略中央には円形の貫通口１２４ａ（図６参照）が形成されている。
【００２１】
回転体１１７は、基端部１２４の貫通口１２４ａに挿通される略円筒形の部材であり、回転体１１７の内周面には、ねじ溝が形成されている。回転体１１７の一端部の外径は、貫通口１２４ａの径よりも大きく形成されており、回転体１１７の一端部は、略コ字状の内側に配置されかつ先端部１２０に対向する。回転体１１７の他端部には、貫通口１２４ａの径よりも大きい外径のギヤ１３６が連結されている。これにより、回転体１１７は、本体１１６から抜け落ちることかく、しかも本体１１６に対して独立して回転可能に支持される。
【００２２】
つまみ部１１８は、基端部１２４の正面に設けられ、作業員の操作によって、回転体１１７が本体１１６に対して回転自在なロック解除状態と、本体１１６に対する回転体１１７の右回転を規制する一方で左回転を許容するロック状態に切り替えるものである。
【００２３】
可動部１１４は、回転体１１７の内周面のねじ溝に噛み合わさるようにねじ山を切った棒状のねじ軸体１３０と、固定部１１２と協働して電線を保持（把持）可能な可動体１３２とを備えている。可動体１３２は、側面形状が長方形の片方の長辺部分が等脚台形に形成された形状あり、固定部１１２よりも肉厚の部材である。可動体１３２は、等脚台形形状の部分が固定部１１２に対向するように配置される。また、可動体１３２は、固定部１１２の中央部１２３と対向する面に凹部１３２ａを有し、中央部１２３に凹部１３２ａが嵌まり込んだ状態でねじ軸体１３０の先端部に回転自在に取り付けられている。また、固定部１１２は、電線を締め付けると容易に緩まないように保持するロック機構の一部であるつまみ部１１８を基端部１２４に備えている。
【００２４】
絶縁操作棒１５０の先端には、図４に示すようにギヤ１３６が固定されている。また、絶縁操作棒１５０の先端部には、可動部１１４のねじ軸体１３０が後退したときに格納可能な空間が形成されている。更に、間接活線作業において、感電事故を防止するために、絶縁操作棒１５０のほぼ中間には、安全限界つば１５２が備えられている。これは、作業者が握っても感電しない部分とそれ以外の部分とにおいて、握ると感電する可能性がある部分と感電しない部分との境界を明確にするために備えられたものである。更に、絶縁操作棒１５０は、降雨時対策として、絶縁操作棒１５０の先端側から安全限界つば１５２とのほぼ中間に水切りつば１５４が備えられている。
【００２５】
次に、ストレーリンクトング１００の使用方法について、図４〜図６を用いて説明する。まず、固定部１１２の先端部１２０の先端と可動部１１４の可動体１３２の先端との開き具合を、電線を挿入できる程度に調整する。そして、絶縁操作棒１５０を保持して、先端工具１１０を電線に近づけ、固定部１１２の先端部１２０の先端と可動部１１４の可動体１３２の先端との隙間１４０に電線を通し、先端部１２０に引っ掛ける。この状態で絶縁操作棒１５０を回転させると、固定部１１２に、先端部１２０の先端部分と先端部１２０の基端部分とを接点にして電線を捻るように力が加わり、固定部１１２は回り止めされる。そして、絶縁操作棒１５０をさらに回転させると、固定部１１２が回り止めされているため、基端部１２４に対して回転自在に取り付けられている回転体１１７が回転する。一方、可動部１１４は、回転体１１７が回転するため、回転体１１７の貫通口１２４ａにねじ込められたねじ軸体１３０およびねじ軸体１３０に固定された可動体１３２に回転力が加わる。その一方で、可動体１３２の凹部が固定部１１２の中央部１２３に嵌まり込んでおり、可動体１３２は回り止めされている。
【００２６】
よって、絶縁操作棒１５０を左回転させると、固定部１１２が電線により回り止めされ、可動体１３２が固定部１１２により回り止めされているため、回転体１１７が左回転する。回転体１１７が左回転すると、ねじ軸体１３０が先端部１２０に向かって移動し、可動体１３２もねじ軸体１３０とともに先端部１２０に向かって移動する。これにより、隙間１４０が狭くなり、先端部１２０に引っ掛けた電線を締め付けることができる。また、絶縁操作棒１５０を右回転させると、固定部１１２が電線により回り止めされ、可動体１３２が固定部１１２により回り止めされているため、回転体１１７が右回転する。回転体１１７が右回転すると、ねじ軸体１３０と可動体１３２は、ねじ軸体１３０のねじにより、絶縁操作棒１５０に向かって後退し、隙間１４０が広くなる。なお、詳細については後述するが、つまみ部１１８の操作によってロック状態としている場合には、絶縁操作棒１５０の右回転が規制される。すなわち、ロック解除状態であれば、電線を緩めることができる。
【００２７】
また、固定部１１２の先端部１２０に電線を引っ掛けて絶縁操作棒１５０を左回転させることによって、電線は先端部１２０と可動体１３２とによってきつく締め付けられる。これにより、ストレーリンクトング１００によって電線が保持される。
【００２８】
ここで、ストレーリンクトング１００には、締め付けた電線が容易に緩まないように、可動部１１４の後退をロックする機能を備えている。すなわち、図５に示すように、絶縁操作棒１５０の先端にはリング状のギヤ１３６が固定されている。このギヤ１３６は固定部１１２に連結されており、周回方向に並ぶ凹凸を有している。該凹凸は、絶縁操作棒１５０を左回転するときに対向する面が滑らかな傾斜となっており、右回転するときに対向する面が略垂直な面となっている。つまみ部１１８は、ギヤ１３６に向かって突出する突起（図示せず）を備えており、ギヤ１３６の凹凸に向かって移動可能に取り付けられている。そして、つまみ部１１８を絶縁操作棒１５０側に、すなわち、下側に移動させ、絶縁操作棒１５０を右回転すると、つまみ部１１８の突起が前記凹凸の略垂直な面と接触し、絶縁操作棒１５０の右回転が制限される。これにより、可動体１３２の後退が制限される。一方、絶縁操作棒１５０を左回転すると、前記凹凸の滑らかな傾斜と接触するが、傾斜に沿って容易に乗り越えることができるため、絶縁操作棒１５０の左回転は制限しない。つまり、つまみ部１１８を下側に移動させたロック状態においては、絶縁操作棒１５０の左回転が許容され、右回転が規制される。これにより、可動体１３２の前進は可能となる。また、つまみ部１１８を固定部１１２の先端部１２０側に、すなわち、つまみ部１１８を上側に移動させたロック解除状態においては、つまみ部１１８の突起が前記凹凸と接触しないため、左右いずれの回転も許容される。
【００２９】
［本実施形態］
図１は、本発明の一実施形態における間接活線工具用アダプタ１をストレーリンクトング１００に取り付けた状態を示す側面図である。図２は、本発明の一実施形態における間接活線工具用アダプタ１の外観を示す斜視図である。
【００３０】
間接活線工具用アダプタ１は、固定部１１２の先端部１２０に固定される固定側アダプタ１０と、可動部１１４の可動体１３２に固定される可動側アダプタ３０とからなる。なお、以下の説明の便宜上、ストレーリンクトング１００の絶縁操作棒１５０の軸方向において、先端工具１１０側を上方あるいは上側、作業員が把持する側を下方あるいは下側と称する。また、ストレーリンクトング１００の絶縁操作棒１５０の軸方向に直角でかつ先端工具１１０における固定部１１２の隙間１４０が向いている方向を前方あるいは前側、前方あるいは前側の反対方向を後方あるいは後側と称する。また、先端工具１１０における固定部１１２の隙間１４０を正面視した場合に、固定部１１２に対して左手側を左方あるいは左側、固定部１１２に対して右手側を右方あるいは右側と称する。なお、上下方向、前後方向、左右方向はそれぞれ互いに直角であるとする。
【００３１】
図２に示すように、固定側アダプタ１０は、固定部１１２の先端部を挟み込む固定側アダプタ本体部１２と、固定側アダプタ本体部１２から固定部１１２の先端側、すなわち前方に延びる固定側アダプタヘッド部１４と、固定ねじ１６とを備えている。ここで、ストレーリンクトング１００における固定部１１２の先端部とは、固定部１１２の先端から上方の部分を指すものとする。
【００３２】
固定側アダプタ本体部１２は、正面部１２ａと、正面部１２ａの両側部から延出し、先端部に内側に曲げが施されてなる一対の把持片１２ｂ、１２ｂとを有している。固定側アダプタ本体部１２は、平面視（絶縁操作棒１５０を軸方向視）した場合、Ｃ字形に形成されている。このＣ字形に囲まれた領域は、固定部１１２を平面視した形状に略等しい。このため、固定側アダプタ本体部１２は、固定部１１２の先端部１２０に被せ、一対の把持片１２ｂ、１２ｂによって先端部１２０を挟み込むことが可能に構成されている。
【００３３】
また、正面部１２ａの上部から固定側アダプタヘッド部１４が延出しており、一対の把持片は、固定側アダプタヘッド部１４の延出方向に対して反対方向、すなわち後方に延出している。
【００３４】
一対の把持片１２ｂ、１２ｂの表面には、それぞれ３箇所に固定ねじ１６が左側及び右側に向けて取り付けられている。そして、固定側アダプタ本体部１２を固定部１１２の先端部１２０に被せて、固定ねじ１６によって固定部１１２を両側面側から締め付けることによって、固定側アダプタ１０が固定部１１２に固定される。この状態において、一対の把持片１２ｂ、１２ｂの先端部は、固定部１１２における固定部１１２の先端に対向する部位の反対側、すなわち後方に位置している。この一対の把持片１２ｂ、１２ｂの先端部がフック１８によって連結されている。
【００３５】
フック１８は、板ばね性を有する若干反った金属部材１８ａと、金属部材１８ａに係合する係合片１８ｂとからなる。金属部材１８ａの一端部は一方の把持片１２ｂの先端部の表面に回動可能に固定されており、他端部は鉤状に形成されている。係合片１８ｂは、他方の把持片１２ｂの先端部の表面に固定されている。
【００３６】
そして、固定側アダプタ本体部１２を固定部１１２の先端部に被せ、固定ねじ１６によって固定した後、金属部材１８ａを回動させて、他方の把持片１２ｂの係合片１８ｂに係合させることにより、固定側アダプタ１０が固定部１１２に固定される。固定側アダプタ１０が固定部１１２に固定された状態において、固定側アダプタヘッド部１４が固定部の先端よりも前方に延出する。固定側アダプタヘッド部１４の先端は、固定部１１２の先端よりも上側に配置される。
【００３７】
また、図２に示すように、可動側アダプタ３０は、可動側アダプタ固定部３２と、可動側アダプタジョー部３４と、ロックピン３６とを備える。
【００３８】
可動側アダプタ固定部３２は、可動部１１４に固定される部分であり、一対の把持片３８、３８と、コイルばね４０と、支持軸４２と、ストッパ４４とを備えている。
【００３９】
可動側アダプタジョー部３４は、可動側アダプタ固定部３２から延び、固定側アダプタ１０の固定側アダプタヘッド部１４に対向する部材である。
【００４０】
ロックピン３６は、可動部１１４から可動側アダプタ固定部３２が外れないようにロックするための部材である。
【００４１】
具体的に、可動側アダプタジョー部３４は、左右方向に延びる略矩形のベース部３４ａと、ベース部３４ａの長手方向の中央部及び両端部から前方に延びる保持片３４ｂと、ベース部３４ａの長手方向の中央部から後方に直方体形に突出する突出部３４ｃとから構成されている。ベース部３４ａは、可動部１１４の幅よりも長く設定されている。保持片３４ｂは、先端部が弧状に反っており、中央部が滑り止めとして粗面に形成されている。突出部３４ｃは、可動部１１４の幅よりも若干短く形成されており、突出部３４ｃに可動側アダプタ固定部３２が取り付けられる。
【００４２】
突出部３４ｃには、左右方向に延びる六角柱状の貫通孔（図示せず）が形成されている。この貫通孔に支持軸４２が挿入される。この時、突出部３４ｃの左右方向の両端部から支持軸４２が突出する。支持軸４２は六角柱形の棒状部材であるため、支持軸４２は突出部３４ｃに対してスライド可能であるが、回動は不可能である。この支持軸４２の両端部に一対の把持片３８、３８がスライド可能に取り付けられる。
【００４３】
把持片３８は、可動部１１４の側面において、固定部１１２の中央部１１２ｂに係合する凹部１３２ａの部分を除く領域を覆う板状部材からなる。また、把持片３８は側面視した場合矩形形状であり、片方の把持片３８の上部はＬ字状に形成されている。更に、把持片３８における可動部１１４との対向面上の前方側には六角形状の貫通孔（図示せず）が形成されている。
【００４４】
図３は、図２に示す可動側アダプタ固定部３２を下方から視認した場合の平面図である。突出部３４ｃの貫通孔に支持軸４２が挿通され、突出部３４ｃの両側部から突出する支持軸４２に両端部にコイルばね４０が挿入され、把持片３８の貫通孔に支持軸４２が挿入される。そして、２つのコイルばね４０、４０の一端が突出部３４ｃに固定され、コイルばね４０の他端が把持片３８に固定される。これにより、可動側アダプタ固定部３２が可動側アダプタジョー部３４に取り付けられる。
【００４５】
把持片３８、３８の後方の下部に貫通孔が形成されている。可動側アダプタ固定部３２が可動部１１４への取り付けられた後にこの貫通孔にロックピン３６が挿入される。
【００４６】
次に、可動側アダプタ固定部３２の可動部１１４への取り付けについて説明する。
可動側アダプタ固定部３２は、可動部１１４への取り付け前は、一対の把持片３８、３８の間隔が可動部１１４の幅よりも狭くなるように、突出部３４ｃ及びコイルばね４０、４０の大きさが設定されている。
【００４７】
可動側アダプタ３０を可動部１１４に取り付ける際には、まず、作業員が、一対の把持片３８、３８を、可動部１１４の幅よりも大きくなるように左右に広げ、一対の把持片３８、３８の間に可動部１１４を位置付けた後に、一対の把持片３８、３８を手放す。これにより、コイルばね４０の付勢によって一対の把持片３８、３８が可動部１１４側に移動する。これにより、可動部１１４が一対の把持片３８、３８によって挟持されるとともに、上部がＬ字型の把持片３８が可動部１１４の上部を覆うととともに、もう片方の把持片３８の上部を覆う。そして、一対の把持片３８、３８の貫通孔にロックピン３６を挿入して、ロックピン３６の先端部を可動部１１４側に突出させる。
【００４８】
これにより、可動側アダプタ３０が可動部１１４に取り付けられる。この時、可動側アダプタジョー部３４は可動部１１４の先端よりも前方に延出しており、固定側アダプタヘッド部１４と可動側アダプタジョー部３４とが上下方向に対向する。可動側アダプタジョー部３４の先端は、可動部１１４の先端と略同じ配置される。なお、可動側アダプタジョー部３４の先端は、可動部１１４の先端よりも上側に配置されてもよい。また、固定側アダプタヘッド部１４の先端が、固定部１１２の先端よりも上側に配置されているため、固定側アダプタヘッド部１４の先端と可動側アダプタジョー部３４の先端との隙間５０の最大幅は、固定部１１２の先端と可動部１１４の先端との隙間１４０の最大幅よりも大きくすることが可能になる。
【００４９】
次に、本実施形態を用いたストレーリンクトング１００の使用方法について説明する。把持したい物体が電線よりも太く、ストレーリンクトング１００では把持できない場合に、先端工具１１０に本実施形態の間接活線工具用アダプタ１を取り付ける。具体的には、作業員が、固定側アダプタ１０を固定部１１２の先端部１２２ａに固定し、可動側アダプタ３０を可動部１１４に固定する。次に、作業員は、隙間５０の開き具合を、把持したい物体が挿入できる程度に調整する。そして、作業員は、物体を隙間５０に挿入して、固定側アダプタヘッド部１４と可動側アダプタジョー部３４との間に物体を位置付け、作業員が絶縁操作棒１５０を左回転させる。これにより、可動側アダプタジョー部３４が上方に移動し、固定側アダプタヘッド部１４と可動側アダプタジョー部３４との間に物体が把持される。
【００５０】
本実施形態においては、固定側アダプタヘッド部１４と可動側アダプタジョー部３４との幅は、最大で１３．０ｃｍ、最小で９．５ｃｍに調整することが可能になる。このため、例えば、耐張碍子を保持することが可能になる。
【００５１】
以上説明したように構成された本実施形態によれば、先端工具１１０の固定部１１２に固定側アダプタ１０を、可動部１１４に可動側アダプタ３０を取り付けることにより、固定側アダプタヘッド部１４と可動側アダプタジョー部３４との間に物体を把持させることが可能になる。その際、固定側アダプタヘッド部１４と可動側アダプタジョー部３４との最大の隙間を、先端工具１１０における固定部１１２と可動部１１４との最大の隙間より大きくすることができるため、例えば、耐張碍子のような先端工具１１０では把持できない物体を、先端工具１１０に間接活線工具用アダプタ１を取り付けることによって把持することが可能になる。このように、先端工具１１０では把持できない太い物体を把持させる機能を持たせることを可能にした間接活線工具用アダプタ１を提供することが可能になる。
【００５２】
また本実施形態によれば、固定側アダプタ１０が、固定側アダプタ本体部１２の両端部を連結するフック１８を更に備えことにより、略コ字状に形成された固定側アダプタ本体部１２が、間接活線工具用アダプタ１を介して物体を把持する際に開いてしまうことが防止できる。これにより、先端工具１１０の固定部１１２に固定側アダプタ１０を取り付けた状態を確実に維持することが可能になる。
【００５３】
また本実施形態によれば、可動側アダプタ３０が、可動部１１４側に突出するロックピン３６を更に備えることにより、間接活線工具の可動部に可動側アダプタを取り付けた状態を確実に維持することが可能になる。すなわち、間接活線工具用アダプタ１を介して物体を把持する際に可動側アダプタジョー部３４に下方の力が加わった場合に、可動側アダプタジョー部３４が回動し、一対の把持片３８、３８の後端部が上方に移動しようとする。その時、ロックピン３６が可動部１１４に当接するため、可動側アダプタジョー部３４の回動が規制される。これにより、間接活線工具用アダプタ１を介して物体を把持する際に、可動側アダプタジョー部３４の移動を防止することが可能になる。
【符号の説明】
【００５４】
１  間接活線工具用アダプタ
１０  固定側アダプタ
１２  固定側アダプタ本体部
１２ａ  正面部
１２ｂ  把持片
１４  固定側アダプタヘッド部
１６  固定ねじ
１８  フック
３０  可動側アダプタ
３２  可動側アダプタ固定部
３４  可動側アダプタジョー部
３４ａ  ベース部
３４ｂ  保持片
３４ｃ  突出部
３６  ロックピン
３８  把持片
４０  コイルばね
４２  支持軸
４４  ストッパ
１００  ストレーリンクトング
１１０  先端工具
【図１】
2015006038.tif 000003
【図２】
2015006038.tif 000004
【図３】
2015006038.tif 000005
【図４】
2015006038.tif 000006
【図５】
2015006038.tif 000007
【図６】
2015006038.tif 000008